(57)【要約】【課題】外装材の施工に用いる工具、及び、施工方法について新規な技術を提案する。【解決手段】固定金具を介して外装材が躯体に固定される形態の外装材の施工に用いられる工具であって、外装材の上方に、隙間を空けて他部材が配置される場合に、固定金具の係止爪部に対し、外装材の下端部を差し込む差込工程の際に用いられる工具であり、挿入部と、挿入部に移動可能に設けた当接部材と、を有し、外装材を当接部材により下方に押し下げる工具とする。【選択図】図１
2013185418.tif 000002
【特許請求の範囲】
【請求項１】
固定金具を介して外装材が躯体に固定される形態の外装材の施工に用いられる工具であって、
前記外装材の上方に、隙間を空けて他部材が配置される場合に、前記固定金具の係止爪部に対し、前記外装材の下端部を差し込む差込工程の際に用いられる工具であり、
前記挿入部と、
前記挿入部に移動可能に設けた当接部材と、を有し、
前記外装材を前記当接部材により下方に押し下げる工具。
【請求項２】
前記工具の前記挿入部は、
前記他部材の下面に摺接する前記水平摺接面部と、
前記水平摺接面部に対して傾斜して前記挿入部を尖った楔形状とするための前記傾斜面部と、を有し、
前記当接部材は、前記傾斜面部と前記外装材の間に挟装されるように配置され、
前記挿入部の押し込みに伴い、前記挿入部に対する前記当接部材の相対位置が変更することにより、
前記水平摺接面部に対する前記当接部材の上下位置が下がることによって、
前記外装材が前記当接部材により下方に押し下げられる、
ことを特徴とする請求項１に記載の工具。
【請求項３】
前記当接部材は、鋼板を折り曲げ加工したもの、金属成形品、又は、樹脂成形品のいずれかにより構成され、
前記挿入部と着脱自在に設けられる、
ことを特徴とする請求項１又は請求項２に記載の工具。
【請求項４】
固定金具を介して外装材が躯体に固定される形態の外装材の施工方法であって、
前記固定金具の係止爪部に対し、前記外装材の下辺部を差し込む差込工程を有し、
前記差込工程において、
前記外装材の上方に、隙間を空けて他部材が配置される場合に、
前記隙間に工具の挿入部を挿入し、前記工具の前記挿入部に移動可能に設けた当接部材を前記外装材の上部に当接させる挿入工程と、
前記挿入部を隙間に対してより押し込むことで、前記当接部材を介して外装材を下方へ押下げる押下げ工程と、
を含む、外装材の施工方法。
【請求項５】
前記工具の挿入部は、
前記他部材の下面に摺接する水平摺接面部と、
前記水平摺接面部に対して傾斜して前記挿入部を尖った楔形状とするための傾斜面部と、を有し、
前記当接部材は、前記傾斜面部と前記外装材の間に挟装されるように配置され、
前記挿入部の押し込みに伴い、前記挿入部に対する当接部材の相対位置が変更することにより、
前記水平摺接面部に対する前記当接部材の上下位置が下がることによって、
前記外装材が前記当接部材により下方に押し下げられる、
ことを特徴とする請求項４に記載の外装材の施工方法。
【請求項６】
前記当接部材は、鋼板を折り曲げ加工したもの、金属成形品、又は、樹脂成形品のいずれかにより構成され、
前記挿入部と着脱自在に設けられる、
ことを特徴とする請求項４又は請求項５に記載の工具。
【請求項７】
前記押下げ工程の後に、前記外装材を釘止め、又は、ビス止めする固定工程をさらに有する、
ことを特徴とする請求項４乃至請求項６に記載の外装材の施工方法。
【請求項８】
前記差込工程の前に、前記外装材に貫通孔を形成しておき、前記貫通孔に、釘、又は、ビスを挿入する準備工程をさらに有する、
ことを特徴とする請求項３乃至請求項７のいずれか一項に記載の外装材の施工方法。
【請求項９】
軒天材が配置される軒裏箇所、又は、開口部装置が設置される開口部下箇所において、実施される、
ことを特徴とする請求項３乃至請求項８のいずれか一項に記載の外装材の施工方法。
【発明の詳細な説明】
【技術分野】
【０００１】
本発明は、外装材の施工に用いられる工具、及び、施工方法に関する。
【背景技術】
【０００２】
従来、例えば、特許文献１，２に開示されるように、板状（パネル状）の外装材（外壁面材）を合じゃくり接合（合抉接合（実嵌合））により上下方向に貼り合わせて施工する施工方法は知られている。
【０００３】
また、外装材は、固定金具（留め金具、取付金具）を介して躯体側の柱や胴縁に固定される構成も知られており、特許文献２においては、外装材の上実や下実に対して係止するための係止爪（係止片）を設けた固定金具（留め金具）について開示している。
【０００４】
また、特許文献１にも開示されるように、固定金具を使用する場合においては、外装材は下側から順に設置され、固定金具から上側に向けて突出される係止爪に対し、外装材の下辺に形成した上実（裏合じゃくり部）の傾斜面を引っ掛けるようにして係止させることとしている。
【０００５】
具体的には、図１２（Ａ）（Ｂ）及び図１３に示すように、固定金具９０は、上側に突出する係止爪９２と下側に突出する係止爪９４を設けた構成としており、係止爪９２，９４は、それぞれ、躯体側の間柱９８と反対側方向に突出する水平部９２ａ，９４ａと、水平部から傾斜して突出される傾斜部９２ｂ，９４ｂを有して構成され、これら水平部と傾斜部によって、外装材９６の突条部９６ａ，９６ｂをそれぞれ収容する空間９２ｃ，９４ｃが形成される。
【０００６】
そして、施工の際には、図１２（Ａ）に示すごとく、下側に配置される外装材９６の上部については、上部に設けた裏実９６ｂに形設される突条部９６ｅに対し、係止爪９４の空間９４ｃを上側から嵌め込むように被せ、突条部９６ｅの傾斜面９６ｆに対して係止爪９４の傾斜部９４ｂを当着させるとともに、図示せぬ釘にて固定金具９０を間柱９８に留め付ける。これにより、突条部９６ｅの傾斜面９６ｆが係止爪９４の傾斜部９４ｂに引っ掛かり、外装材９６の上部が間柱９８側に引き寄せられるようにして固定される。
【０００７】
他方、図１２（Ｂ）に示すごとく、上側に配置される外装材９６の下部については、下部の上実９６ｃの裏側に形設される突条部９６ａを、固定金具９０の空間９２ｃ内に上側から落とし込むようにして挿入する。これにより、突条部９６ａの傾斜面９６ｄが係止爪９２の傾斜部９２ｂに引っ掛かり、外装材９６の下部が間柱９８側に引き寄せられるようにして固定される。
【０００８】
また、図１５の平面図に示すように、各間柱９８，９８の見付面９８ａ，９８ａにそれぞれ固定金具９０，９０が設置され、各固定金具９０，９０において一枚の外装材９６が取り付けられるようになっている。
【先行技術文献】
【特許文献】
【０００９】
【特許文献１】特開２０１１−１０２５０４号公報
【特許文献２】特開２００９−２４４０３号公報
【発明の概要】
【発明が解決しようとする課題】
【００１０】
しかし、図１５に示すように、実際の施工においては、各間柱９８，９８の見付面９８ａ，９８ａの位置が見込み方向Ｍにおいてずれることが多々生じることがあり、これに伴って、各固定金具９０，９０の見込み方向Ｍの位置にずれが生じることがある。
【００１１】
これに対し、外装材９６の下部の突条部９６ａは一直線上に配置されるものであるため、図１２（Ａ）に示すごとく、突条部９６ａを固定金具９０の空間９２ｃ内に落とし込む際に、突条部９６ａが係止爪９２の傾斜部９２ｂに引っ掛かり、スムーズに落とし込みができないことが生じていた。
【００１２】
このため、施工の際には、外装材９６の上端を手で押し下げるなどの力を加えることにより、空間９２ｃに突条部９６ａを押し込むことがなされていた。
【００１３】
しかしながら、例えば、図１３（Ｂ）に示すように軒下において外装材９６が設置されるような場合では、軒天材９１と外装材９６の上端の間にわずかな隙間９３しか形成されないため、外装材９６の上端を手で押し下げることができないこととなる。
【００１４】
このことから、図１３（Ａ）に示すように隙間９３に楔９５を打ち込むことや、図１３（Ｂ）に示すように隙間９３に釘抜き９９を差し込んで押し下げることなどが考えられるが、図１４に示すように、外装材９６の端面が楔９５や釘抜き９９によってこじられてしまい、損傷箇所９７が発生してしまうことが懸念される。
【００１５】
このような損傷箇所９７が発生すると、損傷箇所９７を埋めるなどといった補修対応が必要となることや、損傷箇所９７を起点とするクラック発生の可能性が高まるなど、多くの不具合を誘発することが懸念される。
【００１６】
そこで、本発明は以上の問題に鑑み、外装材の施工に用いる工具、及び、施工方法について新規な技術を提案するものである。
【課題を解決するための手段】
【００１７】
本発明の解決しようとする課題は以上の如くであり、次にこの課題を解決するための手段を説明する。
【００１８】
即ち、請求項１に記載のごとく、
固定金具を介して外装材が躯体に固定される形態の外装材の施工に用いられる工具であって、
外装材の上方に、隙間を空けて他部材が配置される場合に、固定金具の係止爪部に対し、外装材の下端部を差し込む差込工程の際に用いられる工具であり、
挿入部と、
挿入部に移動可能に設けた当接部材と、を有し、
外装材を当接部材により下方に押し下げる工具、こととする。
こととするものである。
【００１９】
また、請求項２に記載のごとく、
工具の挿入部は、
他部材の下面に摺接する水平摺接面部と、
水平摺接面部に対して傾斜して挿入部を尖った楔形状とするための傾斜面部と、を有し、
当接部材は、傾斜面部と外装材の間に挟装されるように配置され、
挿入部の押し込みに伴い、挿入部に対する当接部材の相対位置が変更することにより、
水平摺接面部に対する当接部材の上下位置が下がることによって、
外装材が当接部材により下方に押し下げられる、こととする。
【００２０】
また、請求項３に記載のごとく、
当接部材は、鋼板を折り曲げ加工したもの、金属成形品、又は、樹脂成形品のいずれかにより構成され、挿入部と着脱自在に設けられることとする。
【００２１】
また、請求項４に記載のごとく、
固定金具を介して外装材が躯体に固定される形態の外装材の施工方法であって、
固定金具の係止爪部に対し、外装材の下辺部を差し込む差込工程を有し、
差込工程において、
外装材の上方に、隙間を空けて他部材が配置される場合に、
隙間に工具の挿入部を挿入し、工具の挿入部に移動可能に設けた当接部材を外装材の上部に当接させる挿入工程と、
挿入部を隙間に対してより押し込むことで、当接部材を介して外装材を下方へ押下げる押下げ工程と、
を含む、外装材の施工方法とするものである。
【００２２】
また、請求項５に記載のごとく、
工具の挿入部は、
他部材の下面に摺接する水平摺接面部と、
水平摺接面部に対して傾斜して挿入部を尖った楔形状とするための傾斜面部と、を有し、
当接部材は、傾斜面部と外装材の間に挟装されるように配置され、
挿入部の押し込みに伴い、挿入部に対する当接部材の相対位置が変更することにより、
水平摺接面部に対する当接部材の上下位置が下がることによって、
外装材が当接部材により下方に押し下げられる、こととする。
【００２３】
また、請求項６に記載のごとく、
当接部材は、鋼板を折り曲げ加工したもの、金属成形品、又は、樹脂成形品のいずれかにより構成され、挿入部と着脱自在に設けられることとする。
【００２４】
また、請求項７に記載のごとく、
押下げ工程の後に、外装材を釘止め、又は、ビス止めする固定工程をさらに有する、こととするものである。
【００２５】
また、請求項８に記載のごとく、
差込工程の前に、外装材に貫通孔を形成しておき、貫通孔に、釘、又は、ビスを挿入する準備工程をさらに有する、こととする。
【００２６】
また、請求項９に記載のごとく、
軒天材が配置される軒裏箇所、又は、開口部装置が設置される開口部下箇所において、実施されることとする。
【発明の効果】
【００２７】
本発明の効果として、以下に示すような効果を奏する。
【００２８】
即ち、請求項１に記載の発明においては、
挿入部と外装材の上端面が擦れ合うこともなく、外装材に損傷が生じることもない。また、このような工具を用いることにより、例えば、複数個の工具を用意し、一枚の外装材について三箇所に工具をそれぞれ打ち込んで外装材を全体的にバランスよく押し下げた後、その状態を維持したままに、釘による外装材の留め付け作業を実施するといったことも可能となる。
【００２９】
また、請求項２に記載の発明においては、
挿入部の傾斜面部と外装材の上端面が擦れ合うこともなく、外装材に損傷が生じることもない。
【００３０】
また、請求項３に記載の発明においては、
例えば、当接部材が破損した場合などにおいて、適宜当接部材を交換することが可能であり、また、外装材の種類によって当接部材を使い分けるといったことも可能である。
【００３１】
また、請求項４に記載の発明においては、
隙間幅が狭い場合であっても、挿入部を挿入することで、容易に外装材を押し下げることが可能となる。また、当接部材を介して外装材を押し下げるため、従来の楔を打ち込む場合のように、外装材の端面がこじられて損傷するといった不具合発生を防止することができる。
【００３２】
また、請求項５に記載のごとく、
挿入部の傾斜面部と外装材の上端面が擦れ合うこともなく、外装材に損傷が生じることもない。
【００３３】
また、請求項６に記載の発明においては、
固定工程の際には、事前の押下げ工程によって外装材の下辺部が固定金具に対してしっかりと留め付けられているため、外装材のズレを生じさせることなく、釘止めやビス止めを行うことが可能となる。
【００３４】
また、請求項７に記載の発明においては、
例えば、当接部材が破損した場合などにおいて、適宜当接部材を交換することが可能であり、また、外装材の種類によって当接部材を使い分けるといったことも可能である。
【００３５】
また、請求項８に記載の発明においては、
押下げ工程を完了した後に、金槌などを用いた釘の打ち付けや、他の工具を用いたビスの捻じ込みをすぐに実施することが可能となり、優れた作業性を実現できることになる。特に、軒下において外装材を設置する場合においては、高所作業になるため、このような準備工程を実施しておくことは、施工時間短縮に大きく貢献することができ、優れた効果となる。
【００３６】
また、請求項９に記載の発明においては、
他部材と外装材の間にわずかな隙間が形成されることが想定されるあらゆる箇所に設置される外装材の設置の際に、外装材を損傷させることなく施工を行うことが可能となる。
【図面の簡単な説明】
【００３７】
【図１】本発明の概要について説明する正面図。
【図２】本発明の概要について説明する側面断面図。
【図３】固定金具と外装材の下辺部の構成について示す側面断面図。
【図４】本発明の一実施形態の工具の全体構成について示す側面図。
【図５】本発明の一実施形態の工具の挿入部、及び、当接部材について示す斜視図。
【図６】（Ａ）は挿入部に対する当接部材の取付構造の一形態について示す断面図。（Ａ）は挿入部に対する当接部材の取付構造の他の形態について示す断面図。
【図７】（Ａ）は挿入工程について説明する図。（Ｂ）は押下げ工程について説明する図。
【図８】複数の工具を用いる実施形態について示す図。
【図９】本発明が実施され得る箇所について説明する図。
【図１０】実施形態の例について説明する図。
【図１１】実施形態の他の例について説明する図。
【図１２】（Ａ）は従来の固定金具による外装材の上部の固定について示す側面断面図。（Ｂ）は従来の固定金具による外装材の下部の固定について示す側面断面図。
【図１３】（Ａ）は従来の楔を用いた外装材の押し下げについて説明する側面断面図。（Ｂ）は従来の釘抜きを用いた外装材の押し下げについて説明する側面断面図。
【図１４】外装材の端面に損傷箇所が発生する様子について示す斜視図。
【図１５】固定金具の位置の見込み方向のズレについて説明する平面図。
【発明を実施するための形態】
【００３８】
本実施形態では、図１及び図２に示すごとく、柱３（間柱の場合もある）に対し外装材２０，２０が上下に並設されるようにして固定される。外装材２０の下辺部２２には、裏側が抉られて上実２３（裏合じゃくり部）が形成されており、また、上実２３のさらに裏側には、固定金具１０に係止させるための突条部２４が形成されている。
【００３９】
図３に示すごとく、この突条部２４は、側断面視において下側に向けて突出する部位であり、表側縦面部２４ａと、表側縦面部２４ａの下端から室内側に向けて連続する略水平な下面部２４ｂと、外装材２０の裏面を構成する裏側縦面部２４ｃを有して構成されている。表側縦面部２４ａは、上実２３の裏側の部位を上側方向に切り欠くことによる切欠き溝２４ｄによって形成される。
【００４０】
図３に示すごとく、外装材２０の上辺部２６には、表側が抉られて下実２７（表合じゃくり部）が形成されており、この下実２７によって、固定金具１０に係止させるための突条部２８が形成されている。
【００４１】
この突条部２８は、側断面視において上側に向けて突出する部位であり、表側縦面部２８ａと、表側縦面部２８ａの上端から室内側に向けて連続する略水平な上面部２８ｂと、外装材２０の裏面を構成する裏側縦面部２８ｃを有して構成されている。表側縦面部２８ａは、下実２７の表側の縦面部２８ｄの上部を切り欠くことによって形成される。
【００４２】
固定金具１０は、柱３の見付面に対しビス１１（図２参照）にて固定される固定面部１２と、固定面部１２よりも室外側に向けて突設される二つの係止爪部１４，１６を有している。
【００４３】
一方の係止爪部１４は、室外側方向に突出する水平部１４ａと、水平部１４ａから斜め下方に突出する傾斜部１４ｂを有して構成される。
【００４４】
水平部１４ａと傾斜部１４ｂの間には空間１４ｃが形成され、この空間１４ｃを下実２７の突条部２８に対し上側から嵌め込むようにして被せ、突条部２８の表側縦面部２８ａに対して傾斜部１４ｂが当着される。この状態でビス１１（図２参照）を留め付けると、外装材２０の上部にある下実２７の突条部２８が、柱３側に引き寄せられるようにして固定される。
【００４５】
固定金具１０のもう一方の係止爪部１６は、室外側方向に突出する水平部１６ａと、水平部１６ａから斜め上方に突出する傾斜部１６ｂを有して構成される。
【００４６】
水平部１６ａと傾斜部１６ｂの間には空間１６ｃが形成され、この空間１６ｃに上実２３の突条部２４が挿入され得るようになっている。
【００４７】
ここで、上述したように、固定金具１０の見込み方向Ｍの位置にばらつきが生じることが多くあるため、空間１６ｃに対し突条部２４を容易に挿入することが困難な場合が生じる。
【００４８】
このような場合には、係止爪部１６の傾斜部１６ｂに突条部２４の表側縦面部２４ａの一部を載せた状態とした後に、外装材２０を上から押し下げることにより、空間１６ｃに対して突条部２４が押し込まれることになる。この際、係止爪部１６の傾斜部１６ｂが突条部２４の表側縦面部２４ａに当着することで、突条部２４が室内側に引き寄せられるようにして柱３に対して留め付けられる。
【００４９】
以上の構成において、外装材の施工の際には、まず、下側の外装材２０の上辺部２６が固定金具１０によって柱３に対して留め付けて、下側の外装材２０の止め付けを完了する。
【００５０】
次いで、柱３に留め付けられた固定金具１０に対し、上側の外装材２０の下辺部２２を固定する。この際、上述したように、固定金具１０の見込み方向Ｍの位置にばらつきが生じるため、必要に応じて、外装材２０に上から力を加えることで、固定金具１０の係止爪部１６に対し外装材２０の下辺部２２を押し込む必要が生じる。
【００５１】
そして、本実施例では、図１及び図２に示すごとく、上側の外装材２０の上方に、他部材として軒天材５が配置されている状況となっており、軒天材５と外装材２０の間にはわずかな隙間２（例えば、１０ｍｍ〜１５ｍｍ程度）が存在する状況となっている。このような状況では、外装材２０を上から押し下げることで、下辺部２２を固定金具１０に対して押し込むことが困難となる。
【００５２】
そこで、工具６を用いた外装材２０の押し下げが実施される。この工具６は、図１及び図２に示すように、外装材２０の上方に、隙間２を空けて他部材（軒天材５）が配置される場合に、固定金具１０の係止爪部１６に対し、外装材２０の下辺部２２を差し込む差込工程の際に用いられる。
【００５３】
図４及び図５に示すごとく、工具６は、隙間２（図１参照）に挿入される挿入部６２と、挿入部６２に移動可能に設けた当接部材６４と、を有している。
【００５４】
挿入部６２は、軒天材５の下面５ａ（に摺接する水平摺接面部６２ａと、水平摺接面部６２ａに対して傾斜して挿入部６２を尖った楔形状とするための傾斜面部６２ｂと、を有する。
【００５５】
なお、挿入部６２Ａに示すごとく、水平摺接面部６２ａの後端側を傾斜させて傾斜面６２ｋを形成することとして、軒天材５の下面５ａ（図７（Ａ）参照）との接触面積を少なくし、下面５ａ側の損傷の低減を図る構成としてもよい。
【００５６】
また、図４及び図５に示すごとく、当接部材６４は、挿入部６２の側面６２ｃに形設された溝部６２ｄに対して摺動可能に設けられている。溝部６２ｄは、傾斜面部６２ｂと略平行に設けられており、当接部材６４が傾斜面部６２ｂと略平行にスライド移動するように構成されている。
【００５７】
当接部材６４は、外装材２０の上端面２０ａに当接するための水平当接面部６４ａと、外装材２０のおもて面２０ｂに当接するための垂直当接面部６４ｂと、を有して構成されている。
【００５８】
本実施例では、水平当接面部６４ａと垂直当接面部６４ｂにおいて、略Ｌ字状の断面を構成するようにしており、Ｌ字の内側角部６４ｃが、外装材２０の上端面２０ａとおもて面２０ｂで形成される角部２０ｃに付き合せられるように構成されている。
【００５９】
また、当接部材６４は、挿入部６２の溝部６２ｄに取り付けるための取付部６４ｄを有して構成される。
【００６０】
本実施例では、図４、図５、及び図６（Ａ）に示すごとく、工具６の挿入部６２の両側の側面６２ｃ，６２ｃにそれぞれ形成された溝部６２ｄ，６２ｄに対し、それぞれ挿入されるための一対の挿入片部にて取付部６４ｄ，６４ｄが構成されることとしている。
【００６１】
なお、図６（Ｂ）に示すごとく、工具６の挿入部６２の側面に傾斜面部６２ｅ，６２ｅを形成するとともに、当該傾斜面部６２ｅ，６２ｅを両側から挟みこむような取付部６４ｅ，６４ｅを構成することで、挿入部６２の挿入方向に対し当接部材６４が移動可能に設けられることとしてもよい。
【００６２】
そして、施工の際には、図７（Ａ）に示すごとく、挿入部６２の先端を隙間２に対して挿入するとともに、当接部材６４の水平当接面部６４ａと垂直当接面部６４ｂを、それぞれ、外装材２０の上端面２０ａとおもて面２０ｂに当着させる。
【００６３】
次いで、図７（Ｂ）に示すごとく、工具６全体を押し込むことにより、挿入部６２が隙間２内へと進入させる。この際、挿入部６２の水平摺接面部６２ａが軒天材５の下面５ａから下方に押し下げられ、これに伴い、当接部材６４を介して外装材２０が下方へと押し下げられることになる。
【００６４】
また、この際、垂直当接面部６４ｂが外装材２０のおもて面２０ｂに押されるようにして適宜スライド移動することにより、水平当接面部６４ａが外装材２０の上端面２０ａに対して常に当着した状態とすることができる。
【００６５】
これにより、当接部材６４の水平当接面部６４ａと外装材２０の上端面２０ａが擦れ合うこともなく、外装材２０に損傷が生じることもない。
【００６６】
また、本実施形態では、図１に示すごとく、外装材２０を下方に押し下げた後に、外装材２０の上部を釘７にて留め付けることが行われる。この際、釘７の打ち込みを金槌９などを用いて行われるが、工具６を隙間２に挿入したままで金槌９の操作が可能となるため、作業性に優れた状況を実現することができる。
【００６７】
なお、本実施形態では、釘７を挿入するための貫通孔２１が外装材２０に予め形成されているものとし、この貫通孔２１を通じて釘７が胴縁８（図２参照）に対して打ち付けられることで、外装材２０の上部が胴縁８に対して止め付けられることとなっている。
【００６８】
また、例えば、図８に示すごとく、複数個の工具６を用意し、一枚の外装材２０について三箇所に工具６をそれぞれ打ち込んで外装材２０を全体的にバランスよく押し下げた後、その状態を維持したままに、釘７による外装材２０の留め付け作業を実施するといったことも可能となる。
【００６９】
以上のようにして、本発明を実施することができる。
即ち、図１乃至図３に示すごとく、
固定金具１０を介して外装材２０が躯体に固定される形態の外装材２０の施工に用いられる工具６であって、
外装材２０の上方に、隙間を空けて他部材（軒天材５）が配置される場合に、固定金具１０の係止爪部１６に対し、外装材２０の下端部を差し込む差込工程の際に用いられる工具６であり、
挿入部６２と、
挿入部６２に移動可能に設けた当接部材６４と、を有し、
外装材２０を当接部材６４により下方に押し下げる工具６とする。
【００７０】
これにより、挿入部６２と外装材２０の上端面２０ａが擦れ合うこともなく、外装材２０に損傷が生じることもない。また、このような工具６を用いることにより、例えば、図８に示すごとく、複数個の工具６を用意し、一枚の外装材２０について三箇所に工具６をそれぞれ打ち込んで外装材２０を全体的にバランスよく押し下げた後、その状態を維持したままに、釘７による外装材２０の留め付け作業を実施するといったことも可能となる。
【００７１】
また、工具６の挿入部６２は、
他部材（軒天材５）の下面５ａに摺接する水平摺接面部６２ａと、
水平摺接面部６２ａに対して傾斜して挿入部を尖った楔形状とするための傾斜面部６２ｂと、を有し、
当接部材６４は、傾斜面部６２ｂと外装材２０の間に挟装されるように配置され、
挿入部６２の押し込みに伴い、挿入部６２に対する当接部材６４の相対位置が変更することにより、
水平摺接面部６２ａに対する当接部材６４の上下位置が下がることによって、
外装材２０が当接部材６４により下方に押し下げられる、こととする。
【００７２】
これにより、挿入部６２の傾斜面部６２ｂと外装材２０の上端面２０ａが擦れ合うこともなく、外装材２０に損傷が生じることもない。
【００７３】
また、本発明の施工方法の実施形態として、図１乃至３に示されるように、
固定金具１０を介して外装材２０が躯体に固定される形態の外装材２０の施工方法であって、
固定金具１０の係止爪部１６に対し、外装材２０の下辺部２２を差し込む差込工程を有し、
差込工程において、
外装材２０の上方に、隙間２を空けて他部材（軒天材５）が配置される場合に、
隙間２に工具６の挿入部６２を挿入し、工具６の挿入部６２に移動可能に設けた当接部材６４を外装材２０の上部に当接させる挿入工程と、
挿入部６２を隙間２に対してより押し込むことで、当接部材６４を介して外装材２０を下方へ押下げる押下げ工程と、
を含む、外装材２０の施工方法とするものである。
【００７４】
これによれば、隙間幅２Ｗが狭い場合であっても、挿入部６２を挿入することで、容易に外装材２０を押し下げることが可能となる。また、当接部材６４を介して外装材２０を押し下げるため、従来の楔を打ち込む場合のように、外装材２０の端面がこじられて損傷するといった不具合発生を防止することができる。
【００７５】
また、工具６の挿入部６２は、
他部材（軒天材５）の下面５ａに摺接する水平摺接面部６２ａと、
水平摺接面部６２ａに対して傾斜して挿入部を尖った楔形状とするための傾斜面部６２ｂと、を有し、
当接部材６４は、傾斜面部６２ｂと外装材２０の間に挟装されるように配置され、
挿入部６２の押し込みに伴い、挿入部６２に対する当接部材６４の相対位置が変更することにより、
水平摺接面部６２ａに対する当接部材６４の上下位置が下がることによって、
外装材２０が当接部材６４により下方に押し下げられる、こととする。
【００７６】
これにより、挿入部６２の傾斜面部６２ｂと外装材２０の上端面２０ａが擦れ合うこともなく、外装材２０に損傷が生じることもない。
【００７７】
また、押下げ工程の後に、外装材２０を釘止め、又は、ビス止めする固定工程をさらに有する、こととするものである。
【００７８】
この固定工程の際には、事前の押下げ工程によって外装材２０の下辺部２２が固定金具１０に対してしっかりと留め付けられているため、外装材２０のズレを生じさせることなく、釘止めやビス止めを行うことが可能となる。
【００７９】
また、差込工程の前に、外装材２０に貫通孔２１を形成しておき、貫通孔２１に、釘、又は、ビスを挿入する準備工程をさらに有する、ことが好ましい。
【００８０】
これによれば、押下げ工程を完了した後に、金槌９などを用いた釘の打ち付けや、他の工具を用いたビスの捻じ込みをすぐに実施することが可能となり、優れた作業性を実現できることになる。特に、軒下において外装材２０を設置する場合においては、高所作業になるため、このような準備工程を実施しておくことは、施工時間短縮に大きく貢献することができ、優れた効果となる。
【００８１】
また、図９に示すように、本発明が好適に実施される箇所は、上述したように、水平な軒天材５が配置される軒裏箇所１Ａのほか、傾斜屋根下のように傾斜する軒天材が配置される軒裏箇所１Ｂ、玄関庇の軒裏箇所１Ｃ、さらには、窓やシャッターやドアなどの開口部装置が設置される開口部下箇所１Ｄも想定される。
【００８２】
このように、他部材と外装材２０の間にわずかな隙間が形成されることが想定されるあらゆる箇所に設置される外装材２０Ａ〜２０Ｄの設置の際に、外装材を損傷させることなく施工を行うことが可能となる。
【００８３】
さらに、図１０及び図１１には実施形態の他の例を示している。この図１０及び図１１の各形態からも明らかなように、本発明に係る工具に設ける当接部材は各種の形態により実施することが可能である。
【００８４】
図１０に示す形態１〜形態１４については、上述した図５に示される工具６に設置されるものと同様に、挿入部６２の両側の側面６２ｃ，６２ｃにそれぞれ形成された溝部６２ｄ，６２ｄに対し取付ることを想定した形態である。
【００８５】
なお、図１０に示す形態１〜形態１２は、鋼板を折り曲げ加工して構成するものや、複数の部材を組み合わせて構成する例であり、形態１３，形態１４は、樹脂成形品にて構成する例である。また、形態９については、水平当接面部６４ｘ及び垂直当接面部６４ｙの角度が変更可能な首ふりの機構を持たせた構成としている。
【００８６】
また、図１１に示す形態１６は、工具の挿入部６２の下面側に挿入溝６２ｍを設けるとともに、当接部材６４Ｂに挿入溝６２ｍに挿入させる被ガイド部６４ｎを設ける構成とするものである。また、この被ガイド部６４ｎに挿通させるピン部材６４ｐを用いて、当接部材６４Ｂを挿入部６２に固定する形態としている。形態１７，形態１８においても同様の構成にて実施ができる。
【００８７】
また、図１１に示す形態１９は、工具の挿入部６２の下面側に挿入溝６２ｓを設けるとともに、当接部材６４Ｃに挿入溝６２ｓに挿入させる被ガイド部６４ｓを設ける構成とするものである。挿入溝６２ｓは蓋部材６２ｆなどにて塞ぐこととする。形態２０〜形態２４においても同様の構成にて実施ができる。なお、形態１９〜形態２２は、アルミ成形品にて構成する例である
【００８８】
また、図１１に示す形態２２は、当接部材６４Ｄの下面に滑り止め６２ｋを設けた構成とし、この滑り止め６２ｋにより垂直当接面部６４ｂ（図４参照）の代替とするものである。また、形態２３，形態２４は、樹脂成形品にて構成する例である。
【００８９】
以上の各実施形態から判るように、当接部材は、鋼板を折り曲げ加工したもの、金属成形品、又は、樹脂成形品のいずれかにより構成され、挿入部と着脱自在に設けられることとすることができる。
【００９０】
このような実施形態によれば、例えば、当接部材が破損した場合などにおいて、適宜当接部材を交換することが可能であり、また、外装材の種類によって当接部材を使い分けるといったことも可能である。
【産業上の利用可能性】
【００９１】
本発明は、外装材を設置する際に、外装材の上面と軒天材のような他部材との間に、わずかな隙間が形成される状況において、幅広く利用することができる。
【符号の説明】
【００９２】
２    隙間
３    柱
５    軒天材
６    工具
７    釘
８    胴縁
９    金槌
１０    固定金具
１１    ビス
１４    係止爪部
２０    外装材
２１    貫通孔
２２    下辺部
６２    挿入部
６２ａ    水平摺接面部
６２ｂ    傾斜面部
６２ｃ    側面
６２ｄ    溝部
６４    当接部材
６４ａ    水平当接面部
６４ｂ    垂直当接面部
【図１】
2013185418.tif 000003
【図２】
2013185418.tif 000004
【図３】
2013185418.tif 000005
【図４】
2013185418.tif 000006
【図５】
2013185418.tif 000007
【図６】
2013185418.tif 000008
【図７】
2013185418.tif 000009
【図８】
2013185418.tif 000010
【図９】
2013185418.tif 000011
【図１０】
2013185418.tif 000012
【図１１】
2013185418.tif 000013
【図１２】
2013185418.tif 000014
【図１３】
2013185418.tif 000015
【図１４】
2013185418.tif 000016
【図１５】
2013185418.tif 000017